(57)【要約】【課題】操作性を高めつつ、操作部分の外径寸法を大きくし、しかもガイド部分での専有面積を小さくする。【解決手段】ベース２と、ベース２上に回転操作可能に配置され、中心に開口部１６を有する第１操作部材３と、第１操作部材３の開口部１６に押込操作可能に配置される第２操作部材４と、ベース２上に配置され、第１操作部材３の回転を検出する第１検出部３３、及び、第２操作部材４の押込を検出する第２検出部３１を有する検出部材５と、ベース２上に配置され、第１操作部材３を回転操作可能に保持する第１保持部４４、及び、第２操作部材４を押込可能に保持する第２保持部３４を有する中間部材６とを備えた構成とする。第２操作部材４は、第１操作部材３の開口部１６に位置する操作部２６、及び、操作部２６の露出表面積よりも小さな横断面積を有する軸部２７を備える。中間部材６の第２保持部３４は、第２操作部材４の軸部２７を軸方向にガイドする。【選択図】図３
2009283311.tif 000002
【特許請求の範囲】
【請求項１】
ベースと、
前記ベース上に回転操作可能に配置され、中心に開口部を有する第１操作部材と、
前記第１操作部材の開口部に押込操作可能に配置される第２操作部材と、
前記ベース上に配置され、第１操作部材の回転を検出する第１検出部、及び、第２操作部材の押込を検出する第２検出部を有する検出部材と、
前記ベース上に配置され、第１操作部材を回転操作可能に保持する第１保持部、及び、第２操作部材を押込可能に保持する第２保持部を有する中間部材と、を備え、
前記第２操作部材は、第１操作部材の開口部に位置する操作部、及び、該操作部の露出表面積よりも小さな横断面積を有する軸部を備え、
前記中間部材の第２保持部は、第２操作部材の軸部を軸方向にガイドすることを特徴とする入力装置。
【請求項２】
前記ベースに、検出部材と中間部材を固定したことを特徴とする請求項１に記載の入力装置。
【請求項３】
前記第１操作部材は、前記ベース上に回転操作可能のみならず、押込操作可能に配置され、
前記検出部材は、前記第１操作部材の押込操作を検出する第３検出部をさらに備え、
前記中間部材は、前記第１操作部材の押込操作により弾性変形して前記第３検出部によって検出される被検出部をさらに備えたことを特徴とする請求項１又は２に記載の入力装置。
【請求項４】
前記第１操作部材の開口部は、開口端部から延びる筒状の外側内周壁と、該外側内周壁から内側に延在する底面部と、該底面部から延在し、前記外側内周壁と略平行に形成される内側内周壁と、を備え、該内側内周壁は、前記中間部材の第１保持部に回転可能に支持され、
前記第２操作部材の操作部と前記内側内周壁の間に挟持される弾性シートを、さらに備えたことを特徴とする請求項１から３のいずれか１項に記載の入力装置。
【請求項５】
前記第１操作部材の開口部を構成する外側内周壁、底面部及び内側内周壁によって形成される環状溝により、外部から侵入する異物を貯留する貯留部を構成したことを特徴とする請求項４に記載の入力装置。
【請求項６】
前記第２操作部材は、軸部の外周面に係止突部を形成され、
前記中間部材は、前記軸部を軸方向に往復移動及び回転可能にガイドする円形孔と、該円形孔を構成する内周面に形成され、前記係止突部が挿通する溝部と、前記係止突部が溝部を通過した後、該溝部とは異なる位置で前記係止突部をガイドするガイド凹部と、を備え、
前記弾性シートは、前記第２操作部材の係止突部がガイド凹部から脱落するのを阻止するように付勢することを特徴とする請求項４又は５に記載の入力装置。
【請求項７】
前記請求項１から６のいずれか１項に記載の入力装置を備えたことを特徴とする電子機器。
【請求項８】
ベースと、
前記ベース上に回転操作可能に配置され、中心に開口部を有する第１操作部材と、
前記第１操作部材の開口部に押込操作可能に配置される第２操作部材と、
前記ベース上に配置され、第１操作部材の回転を検出する第１検出部、及び、第２操作部材の押込を検出する第２検出部を有する検出部材と、
前記ベース上に配置され、第１操作部材を回転操作可能に保持する第１保持部、及び、第２操作部材を押込可能に保持する第２保持部を有する中間部材と、を備え、
前記第２操作部材は、第１操作部材の開口部に位置する操作部、及び、該操作部よりも断面積の小さな軸部を有し、
前記中間部材の第２保持部は、第２操作部材の軸部を、軸方向にガイドすることを特徴とする電子機器。
【発明の詳細な説明】
【技術分野】
【０００１】
本発明は、入力装置、及び、該入力装置を備えた電子機器に関するものである。
【背景技術】
【０００２】
従来、入力装置として、回転操作用の操作体と、操作体の下面に、回転中心を合わせて同心に取り付けられ、複数極に着磁されたリング状磁石と、操作体を回転自在に支持する基台と、操作体の回転操作に伴うリング状磁石の回転を非接触で検出する検出素子と、リング状磁石に対向するよう基台に取り付けられ、リング状磁石との間で吸引反発力を発生して操作感触を発生させる磁性体と、操作体の円形中央孔内に配置され、押込操作可能な操作ボタンと、を備えた構成のものが公知である（例えば、特許文献１参照）。
【０００３】
また、他の入力装置として、円盤型操作ダイアルを回動することにより、環状マグネットの磁束の変化をホール素子で検出して回動方向を特定する一方、円盤型操作ダイアルを押圧することにより、操作板を介して押しボタンスイッチを操作するようにしたものが公知である（例えば、特許文献２参照）。
【０００４】
【特許文献１】特開２００３−２８１９７２号公報
【特許文献２】特開２００６−２８５７４３号公報
【発明の開示】
【発明が解決しようとする課題】
【０００５】
しかしながら、前者の入力装置では、操作ボタンからさらに外径側に突出した鍔部の外周面が基台の内筒部にガイドされるように構成されている。このため、あまり操作ボタンの外径寸法を大きくすると、押込操作する際に傾きやすくなり、安定した動作が得られないという問題がある。
【０００６】
一方、後者の入力装置では、押しボタンスイッチを構成する外周面（さらに外径側に突出した環状リブの外周面を含む）をガイドするようにしている。このため、押しボタンスイッチの操作面積を大きく取ろうとすれば、プリント基板に対する押しボタンスイッチの占有面積を大きくしなければならなくなり、他の電子部品（検出部）を実装可能な領域が制約を受けるという問題がある。
【０００７】
そこで、本発明は、操作性を高めつつ、操作部分の外径寸法を大きくし、しかもガイド部分での専有面積を小さくすることのできる入力装置、及び、該入力装置を備えた電子機器を提供することを課題とする。
【課題を解決するための手段】
【０００８】
本発明は、前記課題を解決するための手段として、
入力装置を、
ベースと、
前記ベース上に回転操作可能に配置され、中心に開口部を有する第１操作部材と、
前記第１操作部材の開口部に押込操作可能に配置される第２操作部材と、
前記ベース上に配置され、第１操作部材の回転を検出する第１検出部、及び、第２操作部材の押込を検出する第２検出部を有する検出部材と、
前記ベース上に配置され、第１操作部材を回転操作可能に保持する第１保持部、及び、第２操作部材を押込可能に保持する第２保持部を有する中間部材と、を備え、
前記第２操作部材は、第１操作部材の開口部に位置する操作部、及び、該操作部の露出表面積よりも小さな横断面積を有する軸部を備え、
前記中間部材の第２保持部は、第２操作部材の軸部を軸方向にガイドするようにしたものである。
【０００９】
この構成により、第２操作部材の操作部を大きくしても、第２保持部で軸部をガイドするようにしているので、ガイド寸法を大きく取ることができ、操作部のいずれの箇所を押し込んだとしても安定して動作させることが可能となる。また、第１操作部材及び第２操作部材を、同一部品である中間部材によって支持するように構成しているので、両者の位置関係を正確に設定することができる。したがって、第１操作部材の回転操作と、第２操作部材の押込操作とをそれぞれ適切に行わせることが可能となる。
【００１０】
前記ベースに、検出部材と中間部材を固定するのが好ましい。
【００１１】
この構成により、第１操作部材及び第２操作部材の操作を、中間部材を介してベースを基準として行うことができる。しかも、ベースに固定した検出部材によってその動作状態を検出することができる。したがって、第１操作部材及び第２操作部材の動作を正確に把握することが可能となる。
【００１２】
前記第１操作部材は、前記ベース上に回転操作可能のみならず、押込操作可能に配置され、
前記検出部材は、前記第１操作部材の押込操作を検出する第３検出部をさらに備え、
前記中間部材は、前記第１操作部材の押込操作により弾性変形して前記第３検出部によって検出される被検出部をさらに備えるのが好ましい。
【００１３】
この構成により、第１操作部材の押込操作に基づいて、被検出部を弾性変形させて間接的に押込操作を第３検出部で検出できるようにしているので、被検出部の形状を変更する等により所望の操作感触を得ることが可能となる。
【００１４】
前記第１操作部材の開口部は、開口端部から延びる筒状の外側内周壁と、該外側内周壁から内側に延在する底面部と、該底面部から延在し、前記外側内周壁と略平行に形成される内側内周壁と、を備え、該内側内周壁は、前記中間部材の第１保持部に回転可能に支持され、
前記第２操作部材の操作部と前記内側内周壁の間に挟持される弾性シートを、さらに備えるのが好ましい。
【００１５】
この構成により、第１操作部材は、内側内周壁を中間部材に回転可能に支持されるだけでなく、内側内周壁と第２操作部材との間に弾性シートを挟持して、液体等の異物が内部に侵入することを防止することができる。
【００１６】
前記第１操作部材の開口部を構成する外側内周壁、底面部及び内側内周壁によって形成される環状溝により、外部から侵入する異物を貯留する貯留部を構成するのが好ましい。
【００１７】
この構成により、より一層、外部からの異物の侵入を効果的に防止することが可能となる。
【００１８】
前記第２操作部材は、軸部の外周面に係止突部を形成され、
前記中間部材は、前記軸部を軸方向に往復移動及び回転可能にガイドする円形孔と、該円形孔を構成する内周面に形成され、前記係止突部が挿通する溝部と、前記係止突部が溝部を通過した後、該溝部とは異なる位置で前記係止突部をガイドするガイド凹部と、を備え、
前記弾性シートは、前記第２操作部材の係止突部がガイド凹部から脱落するのを阻止するように付勢するのが好ましい。
【００１９】
この構成により、内部への異物の侵入を防止する弾性シートにより、第２操作部材の脱落防止構造をも提供することが可能となる。
【００２０】
また、本発明は、前記課題を解決するための手段として、電子機器を、前記いずれかの構成の入力装置を備えた構成としたものである。
【００２１】
また、本発明は、前記課題を解決するための手段として、
電子機器を、
ベースと、
前記ベース上に回転操作可能に配置され、中心に開口部を有する第１操作部材と、
前記第１操作部材の開口部に押込操作可能に配置される第２操作部材と、
前記ベース上に配置され、第１操作部材の回転を検出する第１検出部、及び、第２操作部材の押込を検出する第２検出部を有する検出部材と、
前記ベース上に配置され、第１操作部材を回転操作可能に保持する第１保持部、及び、第２操作部材を押込可能に保持する第２保持部を有する中間部材と、を備えた構成とし、
前記第２操作部材は、第１操作部材の開口部に位置する操作部、及び、該操作部よりも断面積の小さな軸部を有し、
前記中間部材の第２保持部は、第２操作部材の軸部を、軸方向にガイドするようにしたものである。
【発明の効果】
【００２２】
本発明によれば、第２操作部材を軸部でガイドするようにしたので、操作部を大きくすることができ、所望の外観が得られると共に操作しやすくなるだけでなく、第２操作部材の動作をスムーズなものとすることが可能となる。また、軸部の横断面積は、操作部の露出表面積よりも小さいので、占有面積を抑えて、第１検出部の配置スペースを十分に確保することができる。また、第１操作部材及び第２操作部材は同一部品である中間部材に支持されるので、両操作部材の位置関係を高精度なものとすることができ、隙間を抑えつつ、所望の操作性を得ることが可能となる。
【発明を実施するための最良の形態】
【００２３】
以下、本発明に係る実施形態を添付図面に従って説明する。なお、以下の説明では、必要に応じて特定の方向や位置を示す用語（例えば、「上」、「下」、「側」、「端」及びそれらの用語を含む別の用語）を用いるが、それらの用語の使用は図面を参照した発明の理解を容易にするためであって、それらの用語の意味によって本発明の技術的範囲が限定されるものではない。
【００２４】
（構成）
図１及び図２は、本実施形態に係る入力装置１を示す。この入力装置１は、図３及び図４に示すように、ベースであるプリント基板２と、第１操作部材である回転ダイアル３と、第２操作部材である押ボタン４と、プリント基板２に実装された検出部材５と、プリント基板２に装着される中間部材６とを備える。
【００２５】
プリント基板２（例えば、ガラスエポキシ基板（ＦＲ４））は、平面視略円形状の検出部７と、この検出部７の両側縁部からそれぞれ延びるリード部８とからなる。プリント基板２の上面には、プリント配線が形成され、又、後述する検出部材５が実装されている。但し、プリント基板２とは別にベースを設けることも可能である（この場合、プリント基板２が検出部材５となる。）。
【００２６】
検出部７には、外周側の４箇所に取付孔９が周方向に等ピッチでそれぞれ形成され、外周側の２箇所の対称位置に第１位置決め孔１０がそれぞれ形成されている。また、検出部７の上面には被覆シート１１が貼着されるようになっている。被覆シート１１は、プリント基板２の上面（リード部８を除く円形部分：検出部７）を覆う平面視略円形状に形成されている。そして、被覆シート１１には、プリント基板２の取付孔９に対応する位置４箇所に逃がし孔１２が、第１位置決め孔１０に対応する位置２箇所に第２位置決め孔１３がそれぞれ形成されている。逃がし孔１２のうちの２箇所は、内周側に広げられ、後述するホール素子３３との干渉が回避されている。また、被覆シート１１には、後述する接点部に対応する位置に、ドーム状に膨出する金属製薄板（ゴム等でもよい）からなる反転バネ１４（図４参照）が一体化され、接点部をオン・オフするスイッチ部を構成している。反転バネ１４によって形成された中央部の窪みからは２箇所に空気逃がし溝１５が形成されている。また、周囲４箇所の窪みは、２箇所ずつ空気逃がし溝１５によって連通されている。
【００２７】
回転ダイアル３は、合成樹脂材料を成形加工することにより略円筒状としたものである。
【００２８】
回転ダイアル３の中心には開口部１６が形成されている。開口部１６は、図５に示すように、開口縁部から下方に向かう外側内周壁１７と、この外側内周壁１７の下端から内径側に延びるドーナツ状の底面部１８と、この底面部１８の内周縁から上下に延びる内側内周壁１９とで構成されている。内側内周壁１９は、上方から下方に向かうに従って徐々に内径寸法が小さくなるように形成されている。そして、内側内周壁１９の下端部が後述する中間部材６の小径部４４に回転可能に支持されるようになっている。なお、外側内周壁１７、底面部１８及び内側内周壁１９で囲まれた環状溝は内側貯留部２０である。内側貯留部２０は、外部から流入した液体等がそれ以上内部に侵入することを防止する。また、回転ダイアル３の外周壁３ａは、下端開口縁部が外周面に沿うように延設され、環状溝が形成されている。この環状溝が外側貯留部２１であり、入力装置１を電子機器に組み込んだ際に、電子機器内への液体等の侵入を防止するように機能する。
【００２９】
回転ダイアル３の上面には、周方向に所定ピッチで大小１箇所ずつ複数の突起３ｂがそれぞれ形成されている。これら突起３ｂは、回転ダイアル３を指操作で回転操作させる際の抵抗として作用し、スムーズな回転動作を実現する。
【００３０】
回転ダイアル３の外周壁３ａと外側内周壁１７との間には、図４に示すように、両壁面の中間に位置する環状リブ２２と、周方向に等ピッチで配置される複数の放射状リブ２３とが形成されている。これらリブにより、樹脂量を抑制し、成形後のヒケ等の不具合を防止すると共に、所望の強度が得られるようになっている。放射状リブ２３の内周側には段部２３ａが形成され、そこには両面テープ２４を介して環状マグネット２５が貼着されるようになっている。環状マグネット２５は、Ｎ極とＳ極が環状に交互に出現するようにしたもので、ここでは１６極のもの（Ｎ極が８箇所に出現し、Ｓ極が８箇所に出現する８個の磁石を環状に一体化したもの）が使用されている。
【００３１】
押ボタン４は、図３に示すように、操作部２６と軸部２７とで構成されている。操作部２６は、円盤状で、回転ダイアル３の開口部１６に配置される。操作部２６の下面には段部２６ａが形成されている。段部２６ａは、その下面で弾性シート２８を回転ダイアル３の内側内周壁１９の上端部との間に挟持する。軸部２７の下端面中央部には押圧突部２９が形成され、後述する第１スイッチ部３１を押込可能となっている。また、軸部２７の下端側外周面には対称な位置２箇所に係止突部３０がそれぞれ形成されている。なお、弾性シート２８はポリエチレン等の柔軟性を有する材料からなり、そこには押ボタン４の軸部２７と係止突部３０が挿通可能な開口部２８ａが形成されている。
【００３２】
検出部材５は、前記プリント基板２に実装される第１スイッチ部３１、第２スイッチ部３２、及び、ホール素子３３からなる。第１スイッチ部３１は、プリント基板２の中央部に設けられる第１接点部３４と、この第１接点部３４を覆う被覆シート１１、詳しくはドーム状の反転バネ１４を一体化した部分とで構成されている。第２スイッチ部３２は、プリント基板２の外周側４箇所に設けられる第２接点部３５と、各第２接点部３５を覆う反転バネ１４とで構成されている。ホール素子３３は、第１スイッチ部３１を挟んで対称な位置にそれぞれ配置されている。
【００３３】
中間部材６は、図８に示すように、合成樹脂材料を成形加工したもので、円盤部３６と、その上面中央部から突出する円筒部３７とで構成されている。
【００３４】
円盤部３６には４箇所等分で円筒部３７から延びる弾性腕部３８がそれぞれ形成されている。各弾性腕部３８の先端には上下に突出する突起３９ａ、３９ｂがそれぞれ形成されている。上方側の突起３９ａが回転ダイアル３のリブに当接して押し込まれ、下方側の突起３９ｂが第２スイッチ部３２を押し込む。
【００３５】
また、円盤部３６には弾性腕部３８とは４５度ずれた位置４箇所に等分で、上方側に支持用突部４０が、下方側に係止部４１がそれぞれ突出している。支持用突部４０は、前記弾性腕部３８の上方側の突起３９ａに比べて円盤部３６の上面からの突出寸法が若干小さく、回転ダイアル３を押し込む際の押し込み過ぎを防止するストッパとしての役割を果たす。係止部４１は、二股に分かれた各弾性片４１ａの先端外面に係止爪４１ｂをそれぞれ形成されている。係止部４１は、各弾性片４１ａを近接させるように弾性変形させてプリント基板２に形成した取付孔９に挿通され、係止爪４１ｂが通過することにより形状復帰して係止される。これにより、中間部材６はプリント基板２に一体化される。但し、係止部４１に代えてカシメ固定可能な構成とすることも可能である。係止部４１が突出する部分を含む所定領域には矩形凹部４２が形成されている。矩形凹部４２は、プリント基板２に実装したホール素子３３との干渉を回避する。中間部材６とプリント基板２の間には、プリント基板２の上面に貼着した被覆シート１１が介在し、その弾性により両部材間のがたつきが防止される。
【００３６】
円筒部３７は、大径部４３と、その上面中央部から突出する小径部４４とからなる段付き形状である。小径部４４は、回転ダイアル３の開口部１６（内側内周壁１９）に配置され、回転ダイアル３を回転自在に支持する。詳しくは、回転ダイアル３の内側内周壁１９の内周面のうち、下端部が支持され、その上方部分は非接触である。したがって、回転ダイアル３を位置ずれすることなく回転可能に支持しつつ、上面外周部のいずれかを押し込めば、回転ダイアル３が傾いて押し込み操作可能となる。なお、例えば、小径部４４を上端に向かうに従って徐々に外径寸法が小さくなるように構成し、内側内周壁１９を同一内径寸法で構成することも可能である。要は、回転ダイアル３を回転かつ外周部を押し込み可能に支持可能であればよい。また、大径部４３の上面には回転ダイアル３の内側内周壁１９の下端部が非接触となるように構成されている。これにより、回転ダイアル３を回転操作した際の操作性が高められている。
【００３７】
また、円筒部３７は、その中心に形成された円形孔４５によって上下面が連通し、押ボタン４の軸部２７が隙間無く挿通するガイド部となっている。円形孔４５を構成する内周面の２箇所には、押ボタン４の各係止突部３０が挿通する溝部４６がそれぞれ形成されている。円筒部３７の底面側には、小径部４４の下端開口縁に沿って一端側の溝部４６から所定角度の範囲で凹所４７が形成されている。凹所４７の他端側にはガイド凹部４８が形成され、押ボタン４の各係止突部３０が上下動可能にガイドされるようになっている。ガイド凹部４８の凹所４７からの深さは、押ボタン４の押込動作範囲をカバーするのに十分な深さである。
【００３８】
（組立方法）
続いて、前記構成の入力装置１の組立方法について説明する。
【００３９】
まず、予め検出部材５を実装したプリント基板２を図示しない治具に取り付け、プリント基板２の上面に被覆シート１１を貼着する。このとき、治具に固定した位置決めピンを、プリント基板２の第１位置決め孔１０と、被覆シート１１の第２位置決め孔１３とに挿通し、治具に対してプリント基板２と被覆シート１１とを位置決めする。
【００４０】
一方、回転ダイアル３の下面側、詳しくは、放射状リブ２３に形成された段部２３ａに両面テープ２４を介して環状マグネット２５を貼着する。そして、環状マグネット２５を貼着した回転ダイアル３を中間部材６の上方に配置する。これにより、回転ダイアル３の開口部１６（内側内周壁１９）が中間部材６の小径部４４によって回転可能に支持される。
【００４１】
次いで、回転ダイアル３の開口部１６を介して中間部材６に押ボタン４を装着し、回転ダイアル３と中間部材６とを、前述の回転可能な状態に維持したままで一体化する。すなわち、押ボタン４の軸部２７には予め弾性シート２８を取り付けておく。押ボタン４の軸部２７を、回転ダイアル３を回転可能に支持させた中間部材６の円形孔４５に挿通する。このとき、押ボタン４の係止突部３０を円形孔４５の溝部４６に位置合わせする。中間部材６に対して押ボタン４を押し込み、係止突部３０を中間部材６の下面側に突出させる。中間部材６に対して相対的に押ボタン４を回転させ、係止突部３０を、凹所４７を介してガイド凹部４８へと移動させる。押ボタン４には、その操作部２６の下面と、回転ダイアル３の内側内周壁１９との間に挟持させた弾性シート２８による付勢力が作用している。したがって、押ボタン４は、その係止突部３０が凹所４７からガイド凹部４８に至ると、このガイド凹部４８の底面に当接するまで押し上げられる。この状態では、押ボタン４は、その軸部２７の外周面を中間部材６の円形孔４５の内周面によって、軸方向の広い範囲でガイドされる。
【００４２】
その後、被覆シート１１を貼着したプリント基板２に、環状マグネット２５及び回転ダイアル３を取り付けた中間部材６を装着する。ここでは、中間部材６の係止部４１をプリント基板２の取付孔９に挿通し、係止爪を係止することにより装着状態を得ている。この状態では、プリント基板２に貼着した被覆シート１１の弾性力により、プリント基板２と中間部材６の間にがたつきが発生することはない。また、プリント基板２及び被覆シート１１によって得られた第１スイッチ部３１に押ボタン４の押圧突部２９の下端が当接（又は近傍に位置）し、第２スイッチ部３２に弾性腕部３８の下方側の突起３９ｂの下端が当接（又は近傍に位置）する。弾性腕部３８の上方側の突起３９ａは回転ダイアル３のリブに当接（又は近傍に位置）する。また、支持用突部４０がリブに当接し、回転ダイアル３の回転状態を安定させる。これにより、入力装置１が完成する。
【００４３】
（動作）
次に、前記入力装置１の動作について説明する。
【００４４】
回転ダイアル３の環状の上面に指を載せ、回転方向（正逆いずれの回転でも可）の力を作用させると、回転ダイアル３は、内側内周壁１９の下端部を中間部材６の小径部４４にガイドされて回転する。また、回転ダイアル３は、下面すなわちリブを中間部材６の支持用突部４０によってガイドされる。このため、回転ダイアル３の回転状態は安定している。また、回転ダイアル３の回転により、この回転ダイアル３に一体化した環状マグネット２５も回転する。そして、環状マグネット２５の回転に伴って変化する磁界がホール素子３３によって検出され、回転ダイアル３の回転方向及び回転量が演算される。
【００４５】
回転ダイアル３の外周部のうち、図２中、上下左右のいずれかを押し込めば、対応する位置に設けた弾性腕部３８が、その先端の上方側の突起３９ａを介して弾性変形し、下方側の突起３９ｂが第２スイッチ部３２を押し込んでオン状態とする。
【００４６】
また、押ボタン４を押込操作すると、その下端に設けた押圧突部２９が第１スイッチ部３１を押し込んでオン状態とする。押ボタン４の押込操作では、操作部２６の操作面積が大きく操作しやすいだけでなく、軸部２７の外周面を中間部材６のガイド部である円形孔４５の内周面にガイドされて傾くことなく安定した状態で上下動する。
【００４７】
前記入力装置１は、例えば、テレビやＤＶＤプレーヤ等のリモコン、デジタルカメラ、携帯電話等の各種電子機器に組み込んで使用することができる。
【００４８】
例えば、テレビのリモコンに組み込んだ場合、回転ダイアル３を正逆回転操作することにより、ディスプレイに表示させた番組表で、ハイライト表示させる番組を、予め決められた順序又は逆順序で変更することができる。また、回転ダイアル３の上下左右のいずれかを押込操作することによっても、番組表でハイライト表示させる番組を上下左右に移動させることができる。そして、押ボタン４を押込操作することにより、ハイライト表示させた番組を選択してディスプレイに表示させたり、ハードディスクビデオレコーダ等が接続されていれば、予約録画できるように設定したりすることが可能である。
【００４９】
なお、電子機器では、使用環境により、コーヒー等の液体がかかる恐れがあり、この液体が構成部品の隙間から内部に侵入すると、誤動作や、場合によっては故障の原因となる。このため、この侵入を的確に防止しなければならない。また、同様の理由で、空気中の埃等の内部への侵入を防止する必要もある。特に、入力装置１は、電子機器の筐体に組み付けて外部に露出させる必要があるので、入力装置１と筐体の間に、隙間が形成されることは避けられない。また、入力装置１を構成する回転ダイアル３と押ボタン４の間にも、構造上隙間が形成されてしまう。
【００５０】
前記入力装置１によれば、入力装置１の回転ダイアル３には外側貯留部２１が形成され、外周壁３ａの上端が筐体の内面に圧接するように構成されている。したがって、筐体と入力装置１の隙間から液体等が侵入したとしても、そこには外側貯留部２１が形成され、しかも、外周壁３ａの上端が筐体の内面に圧接しているので、内部空間に至って不具合を発生させることがない。また、入力装置１の回転ダイアル３と押ボタン４の間の隙間から液体等が侵入したとしても、そこには内側貯留部２０が形成され、しかも、内側内周壁１９の上端と押ボタン４の操作部２６の下面の間には弾性シート２８が挟持されているので、内部に至ることはない。
【００５１】
（他の実施形態）
本発明は、前記実施形態に記載の構成に限定されることなく種々の変更が可能である。
【００５２】
前記中間部材６に形成した弾性腕部３８は、４箇所としたが、２又は３箇所、あるいは、５箇所以上としてもよい。また、その形態は、内径側から外径側に放射状に延びる片持ち梁構造に限らず、外径側から内径側に延びる片持ち梁構造や周方向に延びる片持ち梁構造、あるいは、これらの組み合わせにより構成することも可能である。また、スイッチ部は４箇所としたが、２又は３箇所、あるいは、５箇所以上としてもよい。この場合、中間部材６に形成した支持用突部４０を除去し、係止部４１を外周縁に設けることにより、プリント基板２の外縁に係止するように構成すれば、弾性腕部３８を形成可能な領域の制約が少なくなり、形状、数量等を自由に設定することが可能となる。
【００５３】
前記回転ダイアル３は、内側内周壁１９の内周面を中間部材３の小径部４４で正逆回転可能に支持するようにしたが、図９に示すように、内側内周壁１９をさらに内周側に延設し、その内周面を押ボタン４の軸部２７の外周面で支持するように構成してもよい。
【００５４】
前記回転ダイアル３は、単に回転可能に支持するだけの構造としたが、所定角度ずつ回転させることによりクリック感を持たせるように構成してもよい。例えば、プリント基板２側に前記環状マグネット２５と同様な環状マグネットを対向して配置し、異極が対向することにより位置決めされるように構成したり、回転ダイアル３に中間部材６の上方側の突起３９ａが係脱する係合凹部を形成するように構成したりすればよい。
【００５５】
前記プリント基板２及びそこに貼着する被覆シート１１は、入力装置１の構成部品の１つとしたが、入力装置１を組み込む電子機器の一部で構成することも可能である。
【００５６】
前記回転ダイアル３には環状マグネット２５を一体的に設けるようにしたが、周方向の複数箇所に所定ピッチでマグネットを設けるようにしてもよいし、他の部品、例えば、ロータリエンコーダやポテンショメータ等を使用することも可能である。
【図面の簡単な説明】
【００５７】
【図１】本実施形態に係る入力装置の斜視図である。
【図２】図１の入力装置の平面図である。
【図３】図１の入力装置を上方から見た状態を示す斜視図である。
【図４】図１の入力装置を下方から見た状態を示す斜視図である。
【図５】図２のＡ−Ａ線断面図である。
【図６】図２のＢ−Ｂ線断面図である。
【図７】図２のＣ−Ｃ線断面図である。
【図８】（ａ）は図３に示す中間部材の平面図、（ｂ）はその正面図、（ｃ）はその底面図である。
【図９】他の実施形態に係る入力装置のＡ−Ａ線断面図である。
【符号の説明】
【００５８】
１…入力装置
２…プリント基板（ベース）
３…回転ダイアル（第１操作部材）
３ａ…外周壁
３ｂ…突起
４…押ボタン（第２操作部材）
５…検出部材
６…中間部材
７…検出部
８…リード部
９…取付孔
１０…第１位置決め孔
１１…被覆シート
１２…逃がし孔
１３…第２位置決め孔
１４…反転バネ
１５…空気逃がし溝
１６…開口部
１７…外側内周壁
１８…底面部
１９…内側内周壁
２０…内側貯留部
２１…外側貯留部
２２…環状リブ
２３…放射状リブ
２３ａ…段部
２４…両面テープ
２５…環状マグネット
２６…操作部
２６ａ…段部
２７…軸部
２８…弾性シート
２８ａ…開口部
２９…押圧突部
３０…係止突部
３１…第１スイッチ部（第２検出部）
３２…第２スイッチ部（第３検出部）
３３…ホール素子（第１検出部）
３４…第１接点部
３５…第２接点部
３６…円盤部
３７…円筒部
３８…弾性腕部
３９ａ…突起
３９ｂ…突起（被検出部）
４０…支持用突部
４１…係止部
４１ａ…弾性片
４１ｂ…係止爪
４２…矩形凹部
４３…大径部
４４…小径部（第１保持部）
４５…円形孔（第２保持部）
４６…溝部
４７…凹所
４８…ガイド凹部
【図１】
2009283311.tif 000003
【図２】
2009283311.tif 000004
【図３】
2009283311.tif 000005
【図４】
2009283311.tif 000006
【図５】
2009283311.tif 000007
【図６】
2009283311.tif 000008
【図７】
2009283311.tif 000009
【図８】
2009283311.tif 000010
【図９】
2009283311.tif 000011